(57)【要約】【課題】吊下げ支持機構側からの振動の伝播も有効に防止するディスポーザ取付け装置を提供する。【解決手段】取付け管３とディスポーザ７の上部とがゴム連結管６で連結される。リングナット５と下部支持板１０とが、ゴム連結管６における径方向外方の周方向複数位置で、ボルト体１３とボルト体１３に套嵌された筒状弾性体１４とを備えた吊下げ支持機構１１により連結され、筒状弾性体１４の付勢力の下、ディスポーザ７が吊下げ状態で支持されている。ゴム連結管６に、ディスポーザ７との連結部分より上方に位置して径外方に突出する張出つば部６ｅが備えられ、該張出つば部６ｅの下面側に当接して支持する下部支持板１０によりディスポーザ７が支持される。【選択図】　　　　図１
2004097956.tif 000002
【特許請求の範囲】
【請求項１】
シンクの排水口に取り付けられた取付け管とディスポーザの上部とがゴム連結管で連結され、
前記取付け管を囲んでゴム連結管とシンクとの間に取り付けられた上部支持体と、ゴム連結管に係合された円環状の下部支持体とが、ゴム連結管における径方向外方の周方向複数位置で、支持棒と該支持棒に套嵌された圧縮バネ体とを備えた吊下げ支持機構により連結され、圧縮バネ体の付勢力の下、ディスポーザが吊下げ状態で支持されたディスポーザ取付け装置において、
前記ゴム連結管に、前記ディスポーザとの連結部分より上方に位置して径外方に突出する張出つば部が備えられ、該張出つば部の下面側に当接して支持する前記下部支持体により前記ディスポーザが前記支持されることを特徴とするディスポーザ取付け装置。
【請求項２】
前記圧縮バネ体がゴム等の可撓性を有する筒状弾性体からなることを特徴とする請求項１に記載のディスポーザ取付け装置。
【発明の詳細な説明】
【０００１】
【発明の属する技術分野】
本発明は、厨房の生ゴミ等を破砕して排出するディスポーザを取り付けるためのディスポーザ取付け装置の改良に関するものである。
【０００２】
【従来の技術】
この種のディスポーザのシンクに対する取付け構造として、シンクの排水口に取り付けられた取付け管と、ディスポーザ上部の投入口とを柔軟なゴム連結管で連結し、取付け管を囲んでゴム連結管とシンクとの間に取り付けられた上部支持体と、ゴム連結管の下面側に当接された円環状の下部支持体とを、ゴム連結管における径方向外方の周方向複数位置で、支持棒と該支持棒に套嵌されたコイルバネ等からなる圧縮バネ体とを備えた吊下げ支持機構により互いに連結して、圧縮バネ体の付勢力の下、ディスポーザを吊下げ状態で支持する構造とし、ゴム連結管に対するディスポーザ重量による負荷軽減を図る構造のものがある（例えば、特許文献１や特許文献２参照。）。
【０００３】
【特許文献１】
特開２００２−１１９８８１号公報
【特許文献２】
特開２００２−１８６８７４号公報
【０００４】
【発明が解決しようとする課題】
しかしながら、特許文献１や特許文献２に開示の構造によれば、ディスポーザの上部に外嵌されたゴム連結管の下部を締付けバンドで締め付けて連結し、この連結部分より下方位置で、ゴム連結管の下面側に下部支持体が当接してディスポーザの荷重を支持する方式である。
【０００５】
従って、ディスポーザの振動のゴム連結管、取付け管を介してのシンクへの振動の伝播は、ゴム連結管の柔軟性により有効に防止できるものの、前記締め付けられたゴム連結管部分を介してディスポーザの荷重を下部支持体で支持しているため、この部分におけるゴム連結管による防振効果が有効に発揮できず、ディスポーザの振動が下部支持体に直接伝播してしまい、圧縮バネ体等では十分に吸収しきれず、吊下げ支持機構、上部支持体等を介してシンク側に振動が伝播するおそれがあり、振動の防止効果が十分に発揮できないおそれがあった。
【０００６】
そこで、本発明は上記問題点に鑑み、吊下げ支持機構側からの振動の伝播も有効に防止するディスポーザ取付け装置を提供することを目的とする。
【０００７】
【課題を解決するための手段】
上記目的を達成するための技術的手段は、シンクの排水口に取り付けられた取付け管とディスポーザの上部とがゴム連結管で連結され、前記取付け管を囲んでゴム連結管とシンクとのとの間に取り付けられた上部支持体と、ゴム連結管に係合された円環状の下部支持体とが、ゴム連結管における径方向外方の周方向複数位置で、支持棒と該支持棒に套嵌された圧縮バネ体とを備えた吊下げ支持機構により連結され、圧縮バネ体の付勢力の下、ディスポーザが吊下げ状態で支持されたディスポーザ取付け装置において、前記ゴム連結管に、前記ディスポーザとの連結部分より上方に位置して径外方に突出する張出つば部が備えられ、該張出つば部の下面側に当接して支持する前記下部支持体により前記ディスポーザが前記支持される点にある。
【０００８】
また、前記圧縮バネ体がゴム等の可撓性を有する筒状弾性体からなる構造としてもよい。
【０００９】
【発明の実施の形態】
以下、本発明の第１の実施形態を図面に基づいて説明すると、図１に示される如く、流し台におけるシンク１の排水口２には、取付け管３がパッキング４を介して水密状に、上部支持体としてのリングナット５により締め付け固定されている。
【００１０】
６はゴム連結管で、柔軟なゴム材により筒状に形成されており、取付け管３の下端部に外嵌される薄肉の上連結部６ａと、外方膨出状に湾曲形成された薄肉の振動吸収部６ｂと、ディスポーザ７上部の投入口７ａに外嵌される厚肉の下連結部６ｃと、前記振動吸収部６ｂと前記下連結部６ｃ間に位置する厚肉の中間支持部６ｄとを備え、中間支持部６ｄの外周面には、周方向全周にわたって径方向外方に突出する張出つば部６ｅが備えられている。
【００１１】
そして、ゴム連結管６の上連結部６ａが取付け管３の下端部に外嵌されると共に締付けバンド８により締付け固定され、下連結部６ｃがディスポーザ７の投入口７ａに外嵌されると共に締付けバンド９により締付け固定され、ここに、取付け管３とディスポーザ７の投入口７ａとがゴム連結管６を介して互いに連結されている。
【００１２】
また、締付けバンド９によるゴム連結管６の締付け位置より上方で、下部支持体としての円環状の下部支持板１０が、前記張出つば部６ｅの下面側に当接状に係合した状態で、吊下げ支持機構１１を介してリングナット５と下部支持板１０とが互いに連結されている。
【００１３】
即ち、下部支持板１０の外周縁には、図２にも示される如く、周方向に等間隔を有して径外方に張り出し形成された連結支持片部１０ａが複数（本実施形態では３個所）備えられており、各連結支持片部１０ａには挿通孔１０ｂがそれぞれ形成されている。
【００１４】
また、リングナット５の外周縁にも、図３にも示される如く、下部支持板１０の各連結支持片部１０ａに対応して、周方向に等間隔を有して径方向外方に張り出し形成された平面視略Ｔ字状の上係止部５ａが複数備えられている。
【００１５】
さらに、吊下げ支持機構１１は、図４にも示される如く、略Ｌ字状に屈曲形成されたバネ受け片１２を備え、バネ受け片１２の上下方向に延びる縦片部１２ａの上部には、リングナット５の上係止部５ａが挿脱自在に挿入されて抜止め係止される逆Ｔ字状の係止孔１２ｂが形成され、バネ受け片１２の横方向に延びる横片部１２ｃの中央部には、挿通孔１２ｄが形成されている。
【００１６】
そして、図１に示される如く、支持棒としての適宜長さを有するボルト体１３の軸部に、圧縮バネ体としてのゴム材よりなる円筒形の筒状弾性体１４が套嵌された状態で、前記軸部がバネ受け片１２の横片部１２ｃにおける挿通孔１２ｄに上方側から挿通され、下方に突出する軸部を下部支持板１０の連結支持片部１０ａにおける挿通孔１０ｂにさらに挿通し、その突出端部に固定ナット１５が螺合されている。
【００１７】
また、軸部における連結支持片部１０ａ上方側にはロックナット１６が螺合されており、固定ナット１５とロックナット１６とで連結支持片部１０ａを挟持状として固定している。
【００１８】
ここに、これらバネ受け片１２、ボルト体１３、筒状弾性体１４等により吊下げ支持機構１１が構成されている。
【００１９】
そして、リングナット５の各上係止部５ａに、各吊下げ支持機構１１におけるバネ受け片１２の係止孔１２ｂがそれぞれ係止された状態においては、各筒状弾性体１４が適宜圧縮された状態となり、各筒状弾性体１４の圧縮に起因する付勢力の下、ディスポーザ７が吊下げ状態で支持される構造とされている。
【００２０】
本実施形態は以上のように構成されており、ゴム連結管６下部の張出つば部６ｅに下面側から当接する下部支持板１０とリングナット５とが、周方向複数位置で吊下げ支持機構１１により連結され、吊下げ支持機構１１における圧縮変形された各筒状弾性体１４の付勢力の下、ディスポーザ７を吊下げ支持する構造であるため、ディスポーザ７の荷重は各筒状弾性体１４によって支えられることとなり、ゴム連結管６のみでディスポーザ７の荷重を支える必要がなく、ゴム連結管６が引き伸ばされた状態になることを有効に防止できて、ゴム連結管６の弾性を保持でき、ゴム連結管６を通じてのディスポーザ７の振動のシンク１に対する伝播が有効に防止できると共に、ゴム連結管６に作用する負荷による劣化も有効に防止できる。
【００２１】
また、締付けバンド９によって締め付けられたディスポーザ７とゴム連結管６の下連結部６ｃとの連結部分よりも上方に位置した張出つば部６ｅを下部支持板１０で支持する構造であり、ゴム連結管６における中間支持部６ｄの弾性が有効に保持でき、ディスポーザ７の振動は中間支持部６ｄの弾性によって一旦、減衰した後、下部支持板１０に伝播され、その後、下部支持板１０に伝播した振動は、各筒状弾性体１４によってさらに減衰されてシンク１に伝播される構成とされている。
【００２２】
従って、吊下げ支持機構１１を通じての振動の伝播も有効に防止でき、ここに、ディスポーザ７の振動はほとんど吸収され、シンク１側への振動の伝播をより確実に防止できる。
【００２３】
また、圧縮バネ体としてゴム材からなる筒状弾性体１４を用いているため、振動吸収時におけるボルト体１３と筒状弾性体１４との相互間の接触音等の騒音発生も有効に防止できる利点がある。
【００２４】
なお、上記実施形態において、筒状弾性体１４が円筒状に形成された構造のものを示しているが、図５に示される第２の実施形態のように、いわゆる蛇腹状の筒状弾性体１４であってもよく、実施形態の形状に何ら限定されない。
【００２５】
また、圧縮バネ体は、ゴムに限らず、樹脂等の可撓性を有する弾性材で形成されていてもよく、さらには、金属材からなるコイルバネであってもよい。
【００２６】
さらに、下部支持板１０の上方に配置された各筒状弾性体１４の付勢力により下部支持板１０を上方に引き上げる構造とされているが、下部支持板１０の下方に筒状弾性体１４を配置し、各筒状弾性体１４の付勢力により下部支持板１０を上方に押し上げる構造としてもよく、実施形態の構造に何ら限定されない。
【００２７】
また、ゴム連結管６における張出つば部６ｅが全周にわたって張り出し形成された構造を示しているが、周方向に離隔して所定間隔毎に張り出し形成された構造であってもよい。
【００２８】
【発明の効果】
以上のように、本発明のディスポーザ取付け装置によれば、ゴム連結管に、ディスポーザとの連結部分より上方に位置して径外方に突出する張出つば部が備えられ、該張出つば部の下面側に当接して支持する下部支持体によりディスポーザが吊下げ状態で支持される構造としているため、ディスポーザの振動はゴム連結管の弾性によって一旦、減衰した後、下部支持体に伝播され、その後、下部支持体に伝播した振動は、各圧縮バネ体によってさらに減衰されてシンクに伝播される方式となり、吊下げ支持機構を通じての振動の伝播が有効に防止でき、ディスポーザの振動はほとんど吸収され、シンク側への振動の伝播をより確実に防止できるという利点がある。
【００２９】
また、圧縮バネ体がゴム等の可撓性を有する筒状弾性体からなる構造とすれば、振動吸収時における接触音等の騒音発生も有効に防止できる利点がある。
【図面の簡単な説明】
【図１】本発明の第１の実施形態にかかるディスポーザ取付け状態の一部断面図である。
【図２】下部支持板の平面図である。
【図３】リングナットの平面図である。
【図４】バネ受け片の斜視図である。
【図５】第２の実施形態における筒状弾性体の断面図である。
【符号の説明】
１　シンク
２　排水口
３　取付け管
５　リングナット
５ａ　上係止部
６　ゴム連結管
６ｅ　張出つば部
７　ディスポーザ
７ａ　投入口
８、９　締付けバンド
１０　下部支持板
１１　吊下げ支持機構
１２　バネ受け片
１３　ボルト体
１４　筒状弾性体
１５　固定ナット
１６　ロックナット
【図１】
2004097956.tif 000003
【図２】
2004097956.tif 000004
【図３】
2004097956.tif 000005
【図４】
2004097956.tif 000006
【図５】
2004097956.tif 000007